(57)【要約】【課題】  結露を防止して、スペース効率を良好なものとすることが出来る空調設備のドレイン配管のキャップ構造を提供する。【解決手段】  建物５に設けられた空調ユニット７から、延設されて、排水を挿通するドレイン管路８に、メンテナンス用の開口部２０ｄが設けられたキャップ付きチーズ継手が設けられている。  この開口部２０ｄには、雌ネジ部２０ｅが形成されると共に、この雌ネジ部２０ｅに螺合される雄ネジ部２１ｃが設けられた断熱層付きキャップ部材２１が、開閉塞自在となるように装脱着可能とされている。  断熱層付きキャップ部材２１は、非発泡樹脂材にて構成される外層部２１ａと、外層部２１ａの内側に位置して、発泡樹脂材にて構成される断熱層２１ｂとを有している。【選択図】図１
2010151239.tif 000002
【特許請求の範囲】
【請求項１】
建物に設けられた空調ユニットから、延設されて、排水を挿通するドレイン管路に、メンテナンス用の開口部が設けられると共に、該開口部を開閉塞自在に装脱着可能なキャップ部材を有する空調設備のドレイン配管のキャップ構造において、
前記キャップ部材は、発泡樹脂材にて構成される断熱層を有していることを特徴とする空調設備のドレイン配管のキャップ構造。
【請求項２】
前記キャップ部材は、非発泡樹脂材にて構成される外層部と、該外層部の内側に位置して、発泡樹脂材にて構成される断熱層とを有していることを特徴とする請求項１記載の空調設備のドレイン配管のキャップ構造。
【請求項３】
前記キャップ部材のドレイン管路内側面には、該ドレイン管路内の管路延設方向に沿って窪んだ凹部が、形成されていることを特徴とする請求項１又は２記載の空調設備のドレイン配管のキャップ構造。
【発明の詳細な説明】
【技術分野】
【０００１】
本発明は、建物の空調配管に用いられる空調設備のドレイン配管のキャップ構造で、特に、結露対策が施された空調設備のドレイン配管のキャップ構造に関するものである。
【背景技術】
【０００２】
従来、図１０又は、図１１に示すような断熱層付きの管路部材１が知られている（例えば、特許文献１等参照。）。
【０００３】
まず、構成から説明すると、この従来のドレイン配管では、直線状の塩ビ配管の端部同士を接続するエルボ管継手１の肉厚内部には、射出成型時に、発泡充填された発泡樹脂２からなる断熱層３が形成されている。
【０００４】
このような従来のドレイン配管では、図示省略の塩ビで構成されるエアコンドレイン配管本体内部にも、前記エルボ管継手１と略同様に発泡樹脂２からなる断熱層３が肉厚内に形成されていて、ドレイン配管本体の各端部を、前記エルボ管継手１の両端部に管軸方向を直交させるように設けられた受口部４，４に接着する。
【０００５】
そして、これらの各ドレイン配管本体及び、前記エルボ管継手１により、形成されるドレイン管路が、図示省略の空調ユニットに接続されて、この空調ユニットからの排水が、これらのドレイン管路を介して、流下排水されるように構成されている。
【０００６】
次に、この従来例のドレイン配管を用いたドレイン管路の作用効果について説明する。
【０００７】
このように構成された従来例のドレイン配管を用いたドレイン管路では、各ドレイン配管本体及び、前記エルボ管継手１の内部には、射出成型時に、発泡充填された発泡樹脂２からなる断熱層３が形成されている。
【０００８】
このため、管内の管路を流下する低温の排水の温度は、ドレイン配管本体及び、前記エルボ管継手１の外表面に伝わりにくく、断熱されることにより、このドレイン配管本体及び、前記エルボ管継手１の外表面に結露を発生させにくい。
【０００９】
また、このような従来のドレイン配管では、清掃等のメンテナンス用の開口部が、ドレイン配管路中のリフトアップ部分に、設けられることが知られている。
【００１０】
このメンテナンス用の開口部は、通常使用時に、非発泡溶融樹脂によって構成されたキャップ部材によって、閉塞されていると共に、メンテナンス時には、このキャップ部材を、取り外して、清掃等を行うように構成されている。
【特許文献１】特許第３６９９５７９号公報（第００２８段落乃至第００３８段落、図１、図２）
【発明の開示】
【発明が解決しようとする課題】
【００１１】
しかしながら、このように構成された従来の空調設備のドレイン配管のキャップ構造では、前記キャップ部材が、非発泡溶融樹脂によって構成されているので、断熱性能が良好であるとは言い難かった。
【００１２】
管内の管路を流下する排水の温度が、低温になると、このキャップ部材部分の外表面が、結露してしまう虞があった。
【００１３】
また、別部材で構成される断熱材を、この管路に巻付けて結露を防止する構造では、設置スペースが増大して、建物内のスペース効率が低下してしまうといった問題もあった。
【００１４】
そこで、この発明は、結露を防止して、スペース効率を良好なものとすることが出来る空調設備のドレイン配管のキャップ構造を提供することを課題としている。
【課題を解決するための手段】
【００１５】
上記目的を達成するために、請求項１に記載された発明は、建物に設けられた空調ユニットから、延設されて、排水を挿通するドレイン管路に、メンテナンス用の開口部が設けられると共に、該開口部を開閉塞自在に装脱着可能なキャップ部材を有する空調設備のドレイン配管のキャップ構造において、前記キャップ部材は、発泡樹脂材にて構成される断熱層を有している空調設備のドレイン配管のキャップ構造を特徴としている。
【００１６】
また、請求項２に記載されたものは、前記キャップ部材は、非発泡樹脂材にて構成される外層部と、該外層部の内側に位置して、発泡樹脂材にて構成される断熱層とを有している請求項１記載の空調設備のドレイン配管のキャップ構造を特徴としている。
【００１７】
更に、請求項３に記載されたものは、前記キャップ部材のドレイン管路内側面には、該ドレイン管路内の管路延設方向に沿って窪んだ凹部が、形成されている請求項１又は２記載の空調設備のドレイン配管のキャップ構造を特徴としている。
【発明の効果】
【００１８】
このように構成された請求項１記載の発明では、前記キャップ部材の発泡樹脂材にて構成される断熱層によって、断熱性能が向上する。
【００１９】
このため、ドレイン管路内を低温の排水が流下しても、外表面に結露が発生しない。
【００２０】
しかも、別途、別部材で断熱材等を巻付ける必要が無いので、建物内のスペース効率が良好である。
【００２１】
また、請求項２に記載されたものは、前記キャップ部材の発泡樹脂材にて構成される断熱層が、非発泡樹脂材にて構成される外層部の内側に位置しているので、断熱性能が向上する。
【００２２】
このため、ドレイン管路内を低温の排水が流下しても、外表面に結露が発生しない。
【００２３】
しかも、別途、別部材で断熱材等を巻付ける必要が無いので、建物内のスペース効率が良好である。
【００２４】
更に、請求項３に記載されたものは、前記キャップ部材のドレイン管路内側面には、該ドレイン管路内の管路延設方向に沿って窪んだ凹部が、形成されている。
【００２５】
このため、前記ドレイン管路内では、管路延設方向に沿って、通水される排水のドレイン管路内の抵抗が少なく、排水を円滑に行うことが出来る。
【発明を実施するための最良の形態】
【００２６】
次に、図１乃至図９に示す図面に基づいて、この発明を実施するための最良の実施の形態の空調設備のドレイン配管のキャップ構造について説明する。
【００２７】
なお、前記従来例と同一乃至均等な部分については、同一符号を付して説明する。
【００２８】
この実施の形態の空調設備のドレイン配管のキャップ構造では、図３に示すように、建物５内に設けられた天井裏空間６には、空調ユニット７が、設置されている。
【００２９】
この空調ユニット７からは、排水を挿通するドレイン管路８が、延設されている。
【００３０】
このドレイン管路８は、主に、ホース状の管路体が、ゴムブーツ部材９ａによって覆われて、前記空調ユニット７の外側面７ａに、一端部９ｂが接続されるユニット接続部材９と、図２に示すように、このユニット接続部材９の他端部９ｃを、断熱層付き下側エルボ継手１０に接続するアダプタ部材１１とを有している。
【００３１】
また、このドレイン管路８には、リフトアップ部１２が設けられている。
【００３２】
このリフトアップ部１２は、主に、前記下側エルボ継手１０に接続される縦管部を構成する断熱層付き直管部材１３と、この断熱層付き直管部材１３に、断熱層付き上側エルボ継手１４を介して接続される上部水平配管部を構成する断熱層付き直管部材１５とを有している。
【００３３】
そして、この断熱層付き直管部材１５のドレイン管路の途中には、キャップ付きチーズ継手２０が介装されている。
【００３４】
このキャップ付きチーズ継手２０は、前記直管部材１５，１５の各端部を対向させて、直線状に接続する受口部２０ａ，２０ａを、図１に示すように、一対有すると共に、筒状の外壁面部２０ｂを構成する非発泡樹脂材料の内側には、発泡樹脂材料で構成される断熱層２０ｃが、断面略Ｃ字状で、平板帯状を呈して、内包されている。
【００３５】
また、これらの受口部２０ａ，２０ａ間には、上方に向けて開口するメンテナンス用の開口部２０ｄが設けられている。
【００３６】
このキャップ付きチーズ継手２０の開口部２０ｄの内壁面部には、雌ネジ部２０ｅが螺旋状に形成されている。
【００３７】
そして、この開口部２０ｄには、開閉塞自在に装脱着可能なキャップ部材としての断熱層付きキャップ部材２１が、設けられている。
【００３８】
この断熱層付きキャップ部材２１は、主に、非発泡樹脂材料によって構成される外層部２１ａの内部には、発泡樹脂材料で構成される断熱層２１ｂが、略円柱形状を呈して設けられている。
【００３９】
そして、この断熱層付きキャップ部材２１は、前記雌ネジ部２０ｅに螺合される雄ネジ部２１ｃと、前記開口部２０ｄの上端部に下面側を圧着させる円盤状のフランジ部２１ｄと、このフランジ部２１ｄの中央部から上方に向けて突設される把持部２１ｅとを一体に有して、主に構成されている。
【００４０】
また、図４に示すように、前記断熱層付き直管部材１５には、側面視Ｔ字形状を呈して、前記下階へ向けて延設される断熱層付き直管部材１７を、直交させて接続するキャップ付きチーズ継手３０が、設けられている。
【００４１】
このキャップ付きチーズ継手３０は、前記断熱層付き直管部材１５，１７の各端部１５ａ及び１７ａを対向させて、約９０度の角度を設けて接続する受口部３０ａ，３０ａを、図５に示すように、一対有すると共に、筒状の外壁面部３０ｂを構成する非発泡樹脂材料の内部には、発泡樹脂材料で構成される断熱層３０ｃが、断面略Ｃ字状で、平板帯状を呈して、内包されている。
【００４２】
また、このうち、下方の受口部３０ａに対向する上端部、上方に向けて開口するメンテナンス用の開口部３０ｄが設けられている。
【００４３】
このキャップ付きチーズ継手３０の開口部３０ｄの内壁面部には、雌ネジ部３０ｅが螺旋状に形成されている。
【００４４】
そして、この開口部３０ｄには、開閉塞自在に装脱着可能なキャップ部材としての前記断熱層付きキャップ部材２１が、設けられている。
【００４５】
次に、この実施の形態の空調設備のドレイン配管のキャップ構造の作用効果について説明する。
【００４６】
このように構成された実施の形態の空調設備のドレイン配管のキャップ構造では、前記ドレインのリフトアップ部１２に設けられたキャップ付きチーズ継手２０又は、３０に装着される各キャップ部材２１，２１には、発泡樹脂材にて構成される断熱層２１ｂが、一体に設けられている。
【００４７】
この断熱層２１ｂは、非発泡樹脂材にて構成される外層部２１ａの内側に位置するように、射出成型時に、溶融樹脂材料が射出されて、発泡及び硬化されているので、独立若しくは、一部連続した気泡による空隙部分を多数、内部に形成した状態で、この外層部２１ａと一体化されている。
【００４８】
このため、直接、ドレイン管路２０ｊ内の排水が、前記外層部２１ａのみを介して、温度を伝達させるが減少されて、断熱性能を向上させることができる。
【００４９】
従って、ドレイン管路２０ｊ内を、低温の排水が流下しても、断熱層付き直管部材１３及び断熱層付き直管部材１５…等と共に、このキャップ付きチーズ継手２０又は、３０の外表面にも、結露が発生しない。
【００５０】
しかも、別途、別部材で、断熱材等を、ドレイン配水管の外側面に、巻付ける必要が無いので、建物５内の天井裏空間６又は、床下空間等のドレイン配管の配索される箇所でのスペース効率が良好である。
【００５１】
特に、これらのキャップ付きチーズ継手２０又は、３０の外表面は、凹凸を有しているので、別部材で、断熱材等を巻付けにくい。
【００５２】
このため、メンテナンス時に、前記断熱層付きキャップ部材２１の螺合を解除して、取り外して、ドレイン管路２０ｊ内の清掃洗浄後、再び、この断熱層付きキャップ部材２１を前記雌ネジ部２０ｅに螺合させて、装着しても、その上から、別部材の断熱材を巻付け等により装着する必要が無い。
【００５３】
従って、メンテナンス作業性が良好であると共に、施工不良による結露も、確実に防止されて、しかも、スペース効率を良好なものとすることが出来る空調設備のドレイン配管のキャップ構造が提供される。
【実施例１】
【００５４】
図６は、この発明の実施の形態の実施例１の空調設備のドレイン配管のキャップ構造を示している。
【００５５】
まず、この実施例１のキャップ部材３１には、主に、非発泡樹脂材料によって構成される外層部３１ａの内部に、発泡樹脂材料で構成される断熱層３１ｂが、略円柱形状を呈して設けられている。
【００５６】
また、この断熱層付きキャップ部材３１は、前記雌ネジ部２０ｅに螺合される雄ネジ部３１ｃと、前記開口部３０ｄの上端部に下面側を圧着させる円盤状のフランジ部３１ｄと、このフランジ部３１ｄの中央部から上方に向けて突設される把持部３１ｅとを一体に有して、主に構成されている。
【００５７】
そして、前記雄ネジ部３１ｃの下端部は、前記キャップ付きチーズ継手３０の一対の受口部３０ａ，３０ａの中心軸線３０ｇ，３０ｇの交点３０ｈ近傍まで延設されると共に、略Ｌ字状に屈曲形成されるドレイン管路３０ｊに臨む内側面には、ドレイン管路３０ｊ内の管路延設方向に沿って、湾曲されて窪んだ凹部３１ｆが、形成されている。
【００５８】
次に、この実施例１の空調設備のドレイン配管のキャップ構造の作用効果について説明する。
【００５９】
このように構成された実施例１の空調設備のドレイン配管のキャップ構造では、前記断熱層付きキャップ部材３１に凹設形成された凹部３１ｆの内側面の湾曲形状が、図６に示す様に、前記ドレイン管路３０ｊ内の管路延設である略Ｌ字状の屈曲方向に沿って、形成されている。
【００６０】
このため、前記ドレイン管路３０ｊ内では、略Ｌ字状に屈曲される管路延設方向に沿って、通水される排水のドレイン管路内の抵抗が少なく、排水を円滑に行うことが出来る。
【００６１】
他の構成、及び作用効果については、前記実施の形態と略同様であるので、説明を省略する。
【実施例２】
【００６２】
図７は、この発明の実施の形態の実施例２の空調設備のドレイン配管のキャップ構造を示している。
【００６３】
まず、この実施例２のキャップ部材４１の構成から説明すると、このキャップ部材としての断熱層付きキャップ部材４１は、主に、非発泡樹脂材料によって構成される外層部４１ａの内部に、発泡樹脂材料で構成される断熱層４１ｂが、略円柱形状を呈して設けられている。
【００６４】
また、この断熱層付きキャップ部材４１は、前記雌ネジ部２０ｅに螺合される雄ネジ部４１ｃの下端部のうち、前記ドレイン管路２０ｊに臨む内側面には、ドレイン管路２１ｊ内の管路延設方向に沿って、窪んだ凹部４１ｆが、形成されている。
【００６５】
更に、この実施例２では、前記断熱層付きキャップ部材４１のフランジ部４１ｄの外側面部には、把持部４１ｅの回動角度位置を示す目印部４１ｈが凸状に形成されている。
【００６６】
この実施例２では、前記ドレイン管路２０ｊに臨む内側面に窪んで、形成された凹部４１ｆの湾曲方向が、ドレイン管路２１ｊ内の管路の湾曲方向と一致して、通水方向への抵抗が最小となる位置で、前記目印部４１ｈの回動角度位置が、この断熱層付きキャップ部材４１の管路延設方向に沿うように、位置するように設定されている。
【００６７】
次に、この実施例２の空調設備のドレイン配管のキャップ構造の作用効果について説明する。
【００６８】
このように構成された実施例２の空調設備のドレイン配管のキャップ構造では、前記断熱層付きキャップ部材４１の雄ネジ部４１ｃを、前記キャップ付きチーズ継手２０の開口部２０ｄに形成された雌ネジ部２０ｅに螺合させる際、前記目印部４１ｈが、この断熱層付きキャップ部材４１の管路延設方向に沿うように、位置させる回動角度で停止させる。
【００６９】
すると、前記ドレイン管路２０ｊに臨む内側面に窪んで、形成された凹部４１ｆの湾曲方向が、図７に示すように、ドレイン管路２１ｊ内の管路の湾曲方向と一致して、通水方向への抵抗が最小となる位置で、装着される。
【００７０】
このため、前記ドレイン管路４０ｊ内では、、排水を円滑に行うことが出来る。
【００７１】
他の構成、及び作用効果については、前記実施の形態及び実施例１と略同様であるので、説明を省略する。
【実施例３】
【００７２】
図８は、この発明の実施の形態の実施例３の空調設備のドレイン配管のキャップ構造を示している。
【００７３】
まず、前記実施の形態との相違点を中心に、この実施例３の構成から説明すると、この実施例３では、空調ユニット７近傍に、リフトアップ部が設けられていない配管構成が採用されていて、ドレイン管路２８を構成する断熱層付き直管部材１５が、前記空調ユニット７の外側面７ａに、ユニット接続部材９を介して、略水平に接続されている。
【００７４】
このユニット接続部材９と、断熱層付き直管部材１５との間には、前記キャップ付きチーズ継手２０が介装されている。
【００７５】
このキャップ付きチーズ継手２０には、上方に向けて開口するメンテナンス用の開口部２０ｄが設けられている。
【００７６】
この開口部２０ｄの内壁面部には、雌ネジ部２０ｅが螺旋状に形成されていて、前記キャップ部材としての断熱層付きキャップ部材２１が、開閉塞自在に装脱着可能となるように設けられている。
【００７７】
そして、前記断熱層付き直管部材１５は、チーズ継手１６，１６を介して、直交方向に延設される他の断熱層付き直管部材１５によって、水平方向に延設されると共に、他端部１５ｂには、キャップ部材２１を装脱着可能に、螺着する斜め止水部材５０が設けられて、止水されている。
【００７８】
この斜め止水部材５０の斜行管部５１は、水平方向から、斜め４５度を有して上方に中心軸線を屈曲するように、形成されている。
【００７９】
そして、この斜行管部５１の端部内側面には、図１に示すキャプ部材２１の雄ネジ部２１ｃが、螺合される雌ネジ部２０ｅと同様に、図示省略の雌ネジ部が形成されている。
【００８０】
次に、この実施の形態の実施例３のドレイン配管のキャップ構造の作用効果について説明する。
【００８１】
このように構成された実施例３のドレイン配管のキャップ構造では、前記実施の形態及び実施例１，２の作用効果に加えて、更に、水平配管を構成する断熱層付き直管部材１５の他端部１５ｂに設けられた斜め止水部材５０が、水平管路の他端部１５ｂを閉塞して止水する。
【００８２】
前記キャップ部材２１には、前記実施の形態と同様に、図１中に示す断熱層２１ｂが設けられているので、前記水平管路を構成する断熱層付き直管部材１５内の排水が、低温であっても、このキャップ部材２１の外表面に結露が発生する虞が無い。
【００８３】
また、このキャップ部材２１の螺合を解除して外すことにより、斜め止水部材５０の水平方向から、斜め４５度を有して上方に中心軸線を屈曲する斜行管部５１を介して、水を落下させる虞無く、メンテナンスを行うことが出来る。
【００８４】
他の構成、及び作用効果については、前記実施の形態及び実施例１，２と略同様であるので、説明を省略する。
【変形例１】
【００８５】
図９（ａ）は、この発明の実施の形態の空調設備のドレイン配管のキャップ構造を示すものである。
【００８６】
まず、この変形例１のキャップ部材５１の構成から説明すると、この発泡樹脂材料で構成される断熱層が設けられたキャップ部材５１の上面部には、方形状の摘み部５２が、一体に突設形成されていて、スパナ等の工具によって、回転させることにより、螺合及び螺合解除可能に構成されている。
【００８７】
他の構成、及び作用効果については、前記実施の形態及び実施例１乃至３と略同様であるので、説明を省略する。
【変形例２】
【００８８】
図９（ｂ）は、この発明の実施の形態の空調設備のドレイン配管のキャップ構造を示すものである。
【００８９】
まず、この変形例２のキャップ部材６１の構成から説明すると、この発泡樹脂材料で構成される断熱層が設けられたキャップ部材６１の上面部には、六角柱状のレンチ挟持部６２が、一体に突設形成されていて、六角レンチ等の工具によって、回転させることにより、螺合及び螺合解除可能に構成されている。
【００９０】
他の構成、及び作用効果については、前記実施の形態及び実施例１乃至３と略同様であるので、説明を省略する。
【変形例３】
【００９１】
図９（ｃ）は、この発明の実施の形態の空調設備のドレイン配管のキャップ構造を示すものである。
【００９２】
まず、この変形例３のキャップ部材７１の構成から説明すると、この発泡樹脂材料で構成される断熱層が設けられたキャップ部材７１の上面部には、把持部７２が、一体に突設形成されていて、作業者がこの把持部７２を摘んで、回転させることにより、螺合及び螺合解除可能に構成されている。
【００９３】
他の構成、及び作用効果については、前記実施の形態及び実施例１乃至３と略同様であるので、説明を省略する。
【変形例４】
【００９４】
図９（ｄ）は、この発明の実施の形態の空調設備のドレイン配管のキャップ構造を示すものである。
【００９５】
まず、この変形例４のキャップ部材８１の構成から説明すると、この発泡樹脂材料で構成される断熱層が設けられたキャップ部材８１の上面部には、十字受け部８２が、一体に突設形成されていて、十字レンチ等の工具を、この十字受け部８２の各溝に合わせて、回転させることにより、螺合及び螺合解除可能に構成されている。
【００９６】
他の構成、及び作用効果については、前記実施の形態及び実施例１乃至３と略同様であるので、説明を省略する。
【００９７】
以上、図面を参照して、本発明の実施の形態，実施例１乃至３を詳述してきたが、具体的な構成は、この実施の形態，実施例１及び２に限らず、本発明の要旨を逸脱しない程度の設計的変更は、本発明に含まれる。
【００９８】
即ち、前記実施の形態では、空調ユニット７から排水された直後のリフトアップ部１２に設けられたキャップ付きチーズ継手２０及び、隣接配置される他の空間への導出部直後のリフトアップ部に設けられたキャップ付きチーズ継手３０に、各断熱層付きキャップ部材２１，３１等を装着するものを示して説明してきたが、特にこれに限らず、例えば、ドレイン管路８の他の部分等、、建物５に設けられた空調ユニット７から、延設されて、排水を挿通するドレイン管路８に設けられるメンテナンス用の開口部を開閉塞するキャップ部材２１等を有するものであれば良く、数量、形状及び材質が特に限定されるものではない。
【００９９】
また、前記実施の形態，実施例１及び２では、空調ユニットとして、建物のエアコンユニットに用いたものを示して説明してきたが、特にこれに限らず、例えば、ファンコイルユニット等、エアコンユニットに類するもの及び他の空調設備に用いられるユニット等、どのようなものであっても、形状、数量及び空調方式が特に限定されるものではない。
【０１００】
更に、前記実施の形態，実施例１及び２では、前記キャップ付きチーズ継手２０，３０が、筒状の外壁面部２０ｂ，３０ｂを構成する非発泡樹脂材料の内部に、発泡樹脂材料で構成される断熱層２０ｃ，３０ｃが設けられていて、これらに用いられる断熱層付きキャップ部材２１が、主に、非発泡樹脂材料によって構成される外層部２１ａの内部に、発泡樹脂材料で構成される断熱層２１ｂを、略円柱形状を呈するように設けられて、主に構成されているが、特にこれに限らず、例えば、発泡樹脂材料のみで、構成されるキャップ付きチーズ継手又は、断熱層付きキャップ部材であっても、発泡樹脂材料で構成される断熱層を有しているもであれば、形状、層の数量及び材質や発泡量が特に限定されるものではない。
【図面の簡単な説明】
【０１０１】
【図１】この発明の最良の実施の形態の空調設備のドレイン配管のキャップ構造で、キャップ付きチーズ継手の要部の構成を説明する一部断面図である。
【図２】実施の形態の空調設備のドレイン配管のキャップ構造で、空調ユニットに接続されるドレイン管路の一例を示す側面図である。
【図３】実施の形態の空調設備のドレイン配管のキャップ構造で、全体の構成を説明する建物内の天井裏空間の一部断面斜視図である。
【図４】実施の形態の空調設備のドレイン配管のキャップ構造で、建物内の天井裏空間に隣接配置された配管空間内のリフトアップ部を説明する側面図である。
【図５】実施の形態の空調設備のドレイン配管のキャップ構造で、キャップ付きチーズ継手の要部の構成を説明する一部断面図である。
【図６】実施の形態の実施例１の空調設備のドレイン配管のキャップ構造で、要部の構成を説明するャップ付きチーズ継手の一部断面図である。
【図７】実施の形態の実施例２の空調設備のドレイン配管のキャップ構造で、要部の構成を説明するャップ付きチーズ継手の一部縦断面図である。
【図８】実施の形態の実施例３の空調設備のドレイン配管のキャップ構造で、全体の構成を説明する建物内の天井裏空間の一部断面斜視図である。
【図９】実施の形態の空調設備のドレイン配管のキャップ構造を示し、（ａ）〜（ｄ）は、キャップ部材を上方から見た各変形例を表す平面図である。
【図１０】従来例のドレイン配管で、断熱層の構成を説明するエルボ管の断面図である。
【図１１】従来例のドレイン配管で、図１０中Ｘ−Ｘ線に沿った位置での端面図である。
【符号の説明】
【０１０２】
５                建物
７                空調ユニット
８                ドレイン管路
１２              リフトアップ部
２０，３０        キャップ付きチーズ継手
２０ｄ，３０ｄ    開口部
２０ｊ，３０ｊ    ドレイン管路
２１，３１，４１  断熱層付きキャップ部材
２１ａ            外層部
２１ｂ            断熱層
３１ｆ，４１ｆ    凹部
５０              斜め止水部材
【図１】
2010151239.tif 000003
【図２】
2010151239.tif 000004
【図３】
2010151239.tif 000005
【図４】
2010151239.tif 000006
【図５】
2010151239.tif 000007
【図６】
2010151239.tif 000008
【図７】
2010151239.tif 000009
【図８】
2010151239.tif 000010
【図９】
2010151239.tif 000011
【図１０】
2010151239.tif 000012
【図１１】
2010151239.tif 000013